(57)【要約】  本発明に係る無線端末は、所定セルに在圏する。前記無線端末は、アイドルモードにおいてページングメッセージを受信するための下りリンク制御チャネルを間欠的に監視する制御部を備える。前記制御部は、共通タイミングで前記下りリンク制御チャネルを監視する。前記共通タイミングは、前記所定セルが属するトラッキングエリアに属する各セルを管理する各基地局が前記下りリンク制御チャネルを同時に送信するタイミングである。
2016140272.tif 000002
【特許請求の範囲】
【請求項１】
所定セルに在圏する無線端末であって、
アイドルモードにおいてページングメッセージを受信するための下りリンク制御チャネルを間欠的に監視する制御部を備え、
前記制御部は、共通タイミングで前記下りリンク制御チャネルを監視し、
前記共通タイミングは、前記所定セルが属するトラッキングエリアに属する各セルを管理する各基地局が前記下りリンク制御チャネルを同時に送信するタイミングである無線端末。
【請求項２】
前記制御部は、前記アイドルモードにおいて前記下りリンク制御チャネルを監視する周期である第１のＤＲＸサイクルよりも長い第２のＤＲＸサイクルを使用する拡張ＤＲＸ動作を前記無線端末が実行している場合に、前記共通タイミングで前記下りリンク制御チャネルを監視する請求項１に記載の無線端末。
【請求項３】
前記所定セルにおいて前記共通タイミングに対応するシステムフレーム番号に関する共通タイミング情報を、前記所定セルから受信する受信部をさらに備え、
前記制御部は、前記共通タイミング情報に基づいて、前記共通タイミングで前記下りリンク制御チャネルを監視する請求項１に記載の無線端末。
【請求項４】
所定セルを管理する基地局であって、
無線端末がアイドルモードにおいてページングメッセージを受信するための下りリンク制御チャネルを共通タイミングで送信する送信部を備え、
前記共通タイミングは、前記所定セルが属するトラッキングエリアに属する各セルを管理する各基地局が前記下りリンク制御チャネルを同時に送信するタイミングである基地局。
【請求項５】
無線端末であって、
アイドルモードにおいてページングメッセージを受信するための下りリンク制御チャネルを間欠的に監視する制御部を備え、
前記制御部は、前記下りリンク制御チャネルを監視する周期である第１のＤＲＸサイクルよりも長い第２のＤＲＸサイクルを使用する拡張ＤＲＸを設定する。
前記制御部は、所定条件を満たした場合に、前記ページングメッセージを取得するための手順を開始する無線端末。
【請求項６】
前記制御部は、前記第２のＤＲＸサイクルが閾値を超えた場合、前記無線端末が起動するために必要な機能以外への電源供給を停止し、
前記制御部は、前記第２のＤＲＸサイクルよりも短いタイマが満了した場合に、前記電源供給を再開し、前記手順を開始する請求項５に記載の無線端末。
【請求項７】
前記制御部は、前記電源供給を停止する前に在圏するセルと、前記電源供給を再開した後に在圏するセルとが異なる場合に、前記手順を開始する請求項６に記載の無線端末。
【請求項８】
基地局であって、
無線端末がアイドルモードにおいてページングメッセージを受信するための下りリンク制御チャネルを送信する送信部と、
前記無線端末に第１のＤＲＸサイクルよりも長い第２のＤＲＸサイクルを使用する拡張ＤＲＸが設定されている場合、前記無線端末宛てのページングメッセージを再送する制御部とを備える基地局。
【請求項９】
前記制御部は、前記無線端末に前記第１のＤＲＸサイクルを使用するＤＲＸが設定されている場合、前記無線端末宛てのページングメッセージを再送しない請求項８に記載の基地局。
【請求項１０】
前記制御部は、上位ノードから前記ページングメッセージを受信した場合に、当該ページングメッセージの宛先の無線端末に前記拡張ＤＲＸが設定されているか否かを判断する請求項８に記載の基地局。
【請求項１１】
前記ページングメッセージの宛先の無線端末に前記拡張ＤＲＸが設定されているか否かを示す情報を前記ページングメッセージと共に上位ノードから受信する受信部をさらに備える請求項８に記載の基地局。
【請求項１２】
無線端末であって、
アイドルモードにおいてページングメッセージを受信するための下りリンク制御チャネルを間欠的に監視する制御部を備え、
前記制御部は、前記下りリンク制御チャネルを監視する周期である第１のＤＲＸサイクルよりも長い第２のＤＲＸサイクルを使用する拡張ＤＲＸの設定情報を、前記無線端末が在圏する所定セルから取得し、当該拡張ＤＲＸの設定情報に基づいて前記拡張ＤＲＸの設定を行い、
前記制御部は、セル再選択手順により新たなセルを選択した際に、前記新たなセルから拡張ＤＲＸの設定情報を取得し、当該拡張ＤＲＸの設定情報に基づいて前記拡張ＤＲＸの再設定を行う無線端末。
【請求項１３】
前記制御部は、前記セル再選択手順を開始した後、前記所定セルから取得した前記拡張ＤＲＸの設定情報を破棄する請求項１２に記載の無線端末。
【発明の詳細な説明】
【技術分野】
【０００１】
本発明は、移動通信システムにおいて用いられる無線端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。アイドルモードにおいてＤＲＸ動作を実行している無線端末は、ページングメッセージを受信するための下りリンク制御チャネルを間欠的に監視する。下りリンク制御チャネルを監視する周期は「ＤＲＸサイクル」と称される。【０００３】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。
【先行技術文献】
【非特許文献】
【０００４】
【非特許文献１】３ＧＰＰ寄書「ＲＰ−１４１９９４」
【発明の概要】
【０００５】
第１の特徴に係る無線端末は、所定セルに在圏する。前記無線端末は、アイドルモードにおいてページングメッセージを受信するための下りリンク制御チャネルを間欠的に監視する制御部を備える。前記制御部は、共通タイミングで前記下りリンク制御チャネルを監視する。前記共通タイミングは、前記所定セルが属するトラッキングエリアに属する各セルを管理する各基地局が前記下りリンク制御チャネルを同時に送信するタイミングである。
【０００６】
第２の特徴に係る基地局は、所定セルを管理する。前記基地局は、無線端末がアイドルモードにおいてページングメッセージを受信するための下りリンク制御チャネルを共通タイミングで送信する送信部を備える。前記共通タイミングは、前記所定セルが属するトラッキングエリアに属する各セルを管理する各基地局が前記下りリンク制御チャネルを同時に送信するタイミングである。
【０００７】
第３の特徴に係る無線端末は、アイドルモードにおいてページングメッセージを受信するための下りリンク制御チャネルを間欠的に監視する制御部を備える。前記制御部は、前記下りリンク制御チャネルを監視する周期である第１のＤＲＸサイクルよりも長い第２のＤＲＸサイクルを使用する拡張ＤＲＸを設定する。前記制御部は、所定条件を満たした場合に、前記ページングメッセージを取得するための手順を開始する。
【０００８】
第４の特徴に係る基地局は、無線端末がアイドルモードにおいてページングメッセージを受信するための下りリンク制御チャネルを送信する送信部と、前記無線端末に前記第１のＤＲＸサイクルよりも長い第２のＤＲＸサイクルを使用する拡張ＤＲＸが設定されている場合、前記無線端末宛てのページングメッセージを再送する制御部とを備える。
【０００９】
第５の特徴に係る無線端末は、アイドルモードにおいてページングメッセージを受信するための下りリンク制御チャネルを間欠的に監視する制御部を備える。前記制御部は、前記下りリンク制御チャネルを監視する周期である第１のＤＲＸサイクルよりも長い第２のＤＲＸサイクルを使用する拡張ＤＲＸの設定情報を、前記無線端末が在圏する所定セルから取得し、当該拡張ＤＲＸの設定情報に基づいて前記拡張ＤＲＸの設定を行う。前記制御部は、セル再選択手順により新たなセルを選択した際に、前記新たなセルから拡張ＤＲＸの設定情報を取得し、当該拡張ＤＲＸの設定情報に基づいて前記拡張ＤＲＸの再設定を行う。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、プロトコルスタック図である。
【図５】図５は、無線フレームの構成図である。
【図６】図６は、第１実施形態に係る動作を説明するための図である。
【図７】図７は、第１実施形態に係る動作を説明するためのシーケンス図である。
【発明を実施するための形態】
【００１１】
［実施形態の概要］
アイドルモードにおいて拡張ＤＲＸ動作を実行している無線端末が、移動に伴ってセル再選択手順を実行し、第１のセルから第２のセルに在圏したケースを想定する。
【００１２】
下りリンク制御チャネルの送信タイミングはセル毎に異なるため、当該無線端末の下りリンク制御チャネルの監視タイミングにおいて、第１のセルから下りリンク制御チャネルが送信されている場合であっても、第２のセルからは下りリンク制御チャネルが送信されていない可能性がある。この場合において、無線端末が、下りリンク制御チャネルの監視タイミングの直前に第１のセルから第２のセルに在圏した場合、当該無線端末は、次の監視タイミングまで下りリンク制御チャネルを監視しないため、ページングメッセージの取得機会が拡張ＤＲＸサイクルの時間だけ遅くなる虞がある。
【００１３】
そこで、実施形態は、セル再選択処理に起因して、ページングメッセージを長期間取得できないことを低減可能な無線端末及び基地局を提供する。
【００１４】
第１実施形態に係る無線端末は、所定セルに在圏する。前記無線端末は、アイドルモードにおいてページングメッセージを受信するための下りリンク制御チャネルを間欠的に監視する制御部を備える。前記制御部は、共通タイミングで前記下りリンク制御チャネルを監視する。前記共通タイミングは、前記所定セルが属するトラッキングエリアに属する各セルを管理する各基地局が前記下りリンク制御チャネルを同時に送信するタイミングである。
【００１５】
第１実施形態において、前記制御部は、前記アイドルモードにおいて前記下りリンク制御チャネルを監視する周期である第１のＤＲＸサイクルよりも長い第２のＤＲＸサイクルを使用する拡張ＤＲＸ動作を前記無線端末が実行している場合に、前記共通タイミングで前記下りリンク制御チャネルを監視する。
【００１６】
第１実施形態に係る無線端末は、前記所定セルにおいて前記共通タイミングに対応するシステムフレーム番号に関する共通タイミング情報を、前記所定セルから受信する受信部をさらに備える。前記制御部は、前記共通タイミング情報に基づいて、前記共通タイミングで前記下りリンク制御チャネルを監視する。
【００１７】
第１実施形態に係る基地局は、所定セルを管理する。前記基地局は、無線端末がアイドルモードにおいてページングメッセージを受信するための下りリンク制御チャネルを共通タイミングで送信する送信部を備える。前記共通タイミングは、前記所定セルが属するトラッキングエリアに属する各セルを管理する各基地局が前記下りリンク制御チャネルを同時に送信するタイミングである。
【００１８】
第２実施形態に係る無線端末は、アイドルモードにおいてページングメッセージを受信するための下りリンク制御チャネルを間欠的に監視する制御部を備える。前記制御部は、前記下りリンク制御チャネルを監視する周期である第１のＤＲＸサイクルよりも長い第２のＤＲＸサイクルを使用する拡張ＤＲＸを設定する。前記制御部は、所定条件を満たした場合に、前記ページングメッセージを取得するための手順を開始する。
【００１９】
第２実施形態において、前記制御部は、前記第２のＤＲＸサイクルが閾値を超えた場合、前記無線端末が起動するために必要な機能以外への電源供給を停止する。前記制御部は、前記第２のＤＲＸサイクルよりも短いタイマが満了した場合に、前記電源供給を再開し、前記手順を開始する。
【００２０】
なお、第２のＤＲＸサイクルよりも短いタイマが満了した場合が、所定条件を満たした場合に該当する。
【００２１】
第２実施形態において、前記制御部は、前記電源供給を停止する前に在圏するセルと、前記電源供給を再開した後に在圏するセルとが異なる場合に、前記手順を開始する。
【００２２】
なお、電源供給を停止する前に在圏するセルと、電源供給を再開した後に在圏するセルとが異なる場合が、所定条件を満たした場合に該当する。
【００２３】
第３実施形態に係る基地局は、無線端末がアイドルモードにおいてページングメッセージを受信するための下りリンク制御チャネルを送信する送信部と、前記無線端末に前記第１のＤＲＸサイクルよりも長い第２のＤＲＸサイクルを使用する拡張ＤＲＸが設定されている場合、前記無線端末宛てのページングメッセージを再送する制御部とを備える。
【００２４】
第３実施形態において、前記制御部は、前記無線端末に前記第１のＤＲＸサイクルを使用するＤＲＸが設定されている場合、前記無線端末宛てのページングメッセージを再送しない。
【００２５】
第３実施形態において、前記制御部は、上位ノードから前記ページングメッセージを受信した場合に、当該ページングメッセージの宛先の無線端末に前記拡張ＤＲＸが設定されているか否かを判断する。
【００２６】
第３実施形態において、前記ページングメッセージの宛先の無線端末に前記拡張ＤＲＸが設定されているか否かを示す情報を前記ページングメッセージと共に上位ノードから受信する受信部をさらに備える。
【００２７】
第４実施形態に係る無線端末は、アイドルモードにおいてページングメッセージを受信するための下りリンク制御チャネルを間欠的に監視する制御部を備える。前記制御部は、前記下りリンク制御チャネルを監視する周期である第１のＤＲＸサイクルよりも長い第２のＤＲＸサイクルを使用する拡張ＤＲＸの設定情報を、前記無線端末が在圏する所定セルから取得し、当該拡張ＤＲＸの設定情報に基づいて前記拡張ＤＲＸの設定を行う。前記制御部は、セル再選択手順により新たなセルを選択した際に、前記新たなセルから拡張ＤＲＸの設定情報を取得し、当該拡張ＤＲＸの設定情報に基づいて前記拡張ＤＲＸの再設定を行う。
【００２８】
第４実施形態において、前記制御部は、前記セル再選択手順を開始した後、前記所定セルから取得した前記拡張ＤＲＸの設定情報を破棄する。
【００２９】
［第１実施形態］
以下において、本発明をＬＴＥシステムに適用する場合の実施形態を説明する。
【００３０】
（システム構成）
図１は、ＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３１】
ＵＥ１００は、無線端末に相当する。ＵＥ１００は、移動型の通信装置であり、接続先のセル（サービングセル）との無線通信を行う。ＵＥ１００の構成については後述する。
【００３２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３４】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３５】
ＯＡＭ４００は、オペレータによって管理されるサーバ装置であり、Ｅ−ＵＴＲＡＮ１０の保守及び監視を行う。
【００３６】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３７】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３９】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４０】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。
【００４１】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４２】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４３】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４４】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４５】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４６】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４７】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４８】
ＰＤＣＰ層は、ヘッダ圧縮・伸張、及び暗号化・復号化を行う。
【００４９】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００５０】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５１】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５２】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５３】
（ＤＲＸ動作の概要）
以下において、ＲＲＣアイドルモードにおけるＤＲＸ（ＤＲＸ：  Ｄｉｓｃｏｎｔｉｎｕｏｕｓ  Ｒｅｃｅｐｔｉｏｎ）動作について説明する。
【００５４】
ＵＥ１００は、バッテリを節約するために、ＤＲＸ動作を行うことが可能である。ＤＲＸ動作を行うＵＥ１００は、ＰＤＣＣＨを間欠的に監視する。通常、サブフレーム中のＰＤＣＣＨは、当該サブフレーム中のＰＤＳＣＨのスケジューリング情報（無線リソース及びトランスポートフォーマットの情報）を運搬する。
【００５５】
ＲＲＣアイドルモードであるＵＥ１００は、着信があることを通知するページングメッセージを受信するためにＰＤＣＣＨを間欠的に監視するＤＲＸ動作を行う。ＵＥ１００は、ページング用のグループ識別子（Ｐ−ＲＮＴＩ）を用いて、ＰＤＣＣＨ（ＣＣＥ）をデコードして、ページングチャネルの割り当て情報（ＰＩ）を取得する。ＵＥ１００は、当該割当情報に基づいて、ページングメッセージを取得する。ＵＥ１００におけるＰＤＣＣＨ監視タイミングは、通常、ＵＥ１００の識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて定められる。ＰＤＣＣＨ監視タイミングの算出について具体的に説明する。
【００５６】
ＲＲＣアイドルモードのＤＲＸ動作におけるＰＤＣＣＨ監視タイミング（ＰＤＣＣＨ監視サブフレーム）は、Ｐａｇｉｎｇ  Ｏｃｃａｓｉｏｎ（ＰＯ）と称される。
【００５７】
ＵＥ１００（及びｅＮＢ２００）は、Ｐａｇｉｎｇ  Ｏｃｃａｓｉｏｎ（ＰＯ）、及び、Ｐａｇｉｎｇ  Ｏｃｃａｓｉｏｎを含みうる無線フレームであるＰａｇｉｎｇ  Ｆｒａｍｅ（ＰＦ）を下記のように計算する。
【００５８】
ＰＦのシステムフレーム番号（ＳＦＮ）は、下記の式（１）から求められる。
【００５９】
ＳＦＮ  ｍｏｄ  Ｔ＝  （Ｔ  ｄｉｖ  Ｎ）  ＊  （ＵＥ＿ＩＤ  ｍｏｄ  Ｎ）        …（１）
【００６０】
ここで、Ｔは、ページングメッセージを受信するためのＵＥ１００のＤＲＸサイクルであり、無線フレームの数で表される。Ｎは、ＴとｎＢのうち最小値である。ｎＢは、４Ｔ，  ２Ｔ，  Ｔ，  Ｔ／２，  Ｔ／４，  Ｔ／８，  Ｔ／１６，  Ｔ／３２から選択される値である。ＵＥ＿ＩＤは、「ＩＭＳＩ  ｍｏｄ  １０２４」により求められる値である。
【００６１】
このようにして求められたＰＦのうち、ＰＯのサブフレーム番号は、下記のように求められる。まず、下記の式（２）により、インデックスｉ＿ｓを求める。
【００６２】
ｉ＿ｓ  ＝  ｆｌｏｏｒ（ＵＥ＿ＩＤ／Ｎ）  ｍｏｄ  Ｎｓ        …（２）
【００６３】
ここで、Ｎｓは、１とｎＢ／Ｔのうち最大値である。
【００６４】
次に、表１または表２からＮｓ及びインデックスｉ＿ｓに対応するＰＯを求める。表１はＬＴＥ  ＦＤＤシステムに適用され、表２はＬＴＥ  ＴＤＤシステムに適用される。表１および表２において、Ｎ／Ａは非適用を表す。
【００６５】
【表１】
2016140272.tif 000003
【００６６】
【表２】
2016140272.tif 000004
【００６７】
以上により、ＵＥ１００及びｅＮＢ２００は、ページングメッセージが送信され得るタイミングを決定する。
【００６８】
次に、拡張ＤＲＸについて説明する。拡張ＤＲＸによれば、アイドルモードにおける既存のＤＲＸサイクルよりも長い拡張ＤＲＸサイクルを設定可能である。本実施形態において、拡張ＤＲＸ動作は、アイドルモードにおいて実行される。
【００６９】
拡張ＤＲＸは、ＳＩＢ２によってＵＥ１００へブロードキャストされる既存のＰＣＣＨ設定（ＰＣＣＨ−Ｃｏｎｆｉｇ．）内のページング周期（ｄｅｆａｕｌｔＰａｇｉｎｇＣｙｃｌｅ）の値域が拡張されることによって規定されてもよい。
【００７０】
或いは、既存の「ＤＲＸ−Ｃｏｎｆｉｇ」とは異なる情報要素として規定されてもよい。例えば、アイドルモードにおける拡張ＤＲＸの設定情報である「Ｉｄｌｅ−ｅＤＲＸ−Ｃｏｎｆｉｇ」が規定されてもよい。「Ｉｄｌｅ−ｅＤＲＸ−Ｃｏｎｆｉｇ」は、拡張ＤＲＸサイクルとして、例えば、「・・・、ｒｆ５１２、ｒｆ１０２４、・・・」という値域が設定可能であってもよい。
【００７１】
（第１実施形態に係る動作）
次に、第１実施形態に係る動作について、図６及び図７を用いて説明する。図６は、第１実施形態に係る動作を説明するための図である。図７は、第１実施形態に係る動作を説明するためのシーケンス図である。なお、以下において、ｅＮＢ２００Ａの動作をＣｅｌｌＡの動作として説明し、ｅＮＢ２００Ｂの動作をＣｅｌｌＢの動作として説明することがある。
【００７２】
図６に示すように、ｅＮＢ２００Ａは、ＣｅｌｌＡを管理し、ｅＮＢ２００Ｂは、ＣｅｌｌＡに隣接するＣｅｌｌＢを管理する。ＣｅｌｌＡ及びＣｅｌｌＢは、同一のトラッキングエリア（ＴＡ）に属する。
【００７３】
ｅＮＢ２００Ａ（ＣｅｌｌＡ）及びｅＮＢ２００Ｂ（ＣｅｌｌＢ）のそれぞれは、ＳＦＮが１００００、２００００、…になる度にページングメッセージをＵＥ１００が受信するためのＰＤＣＣＨを送信する。なお、既存のＳＦＮの最大値は、１０２３であるため、ＳＦＮが拡張されたことを想定している。また、ｅＮＢ２００ＡとｅＮＢ２００ＢとのＳＦＮは、異なっている。図６（上図）に示すように、ｅＮＢ２００ＡのＳＦＮが８５００の場合に、ｅＮＢ２００ＢのＳＦＮが１００００である。従って、ｅＮＢ２００ＡとｅＮＢ２００Ｂとの間でＰＤＣＣＨの送信タイミングは、異なっている。
【００７４】
ＵＥ１００は、ＣｅｌｌＡに在圏している。ＵＥ１００は、ＲＲＣアイドルモードである。ＵＥ１００には、ＲＲＣアイドルモードにおける拡張ＤＲＸが設定されている。拡張ＤＲＸサイクルは、４３２００００［ＳＦＮ］（１２時間）であり、ｅＮＢ２００ＡのＳＦＮが１００００のタイミングが、ＵＥ１００の１回目のＰＤＣＣＨ監視タイミングであると仮定して説明を進める。なお、次のＰＤＣＣＨ監視タイミングは、ｅＮＢ２００ＡのＳＦＮが４３３００００に相当するタイミングである。
【００７５】
図６（上図）に示すように、拡張ＤＲＸ動作を実行しているＵＥ１００が、ＣｅｌｌＡに在圏している間に、ｅＮＢ２００ＢにおいてＳＦＮが１００００に到達し、ＰＤＣＣＨが送信される。一方で、ｅＮＢ２００Ａ（ＣｅｌｌＡ）においては、ＳＦＮが８５００であるため、ＰＤＣＣＨの送信タイミングに達していない。
【００７６】
その後、ＵＥ１００は、ＣｅｌｌＢへ向かって移動したと仮定する。ＵＥ１００は、移動に伴ってセル再選択（リセレクション）手順を実行する。具体的には、ＵＥ１００は、セル探索を行い、発見されたセルの中から所定のセル（例えば、受信レベルが最も高いセル）を（再）選択する。ＵＥ１００は、ＣｅｌｌＢを選択し、ＣｅｌｌＢに在圏する。
【００７７】
ここで、図６（下図）に示すように、ｅＮＢ２００ＡにおいてＳＦＮが１００００に到達した場合、ｅＮＢ２００ＡのＳＦＮが１００００のタイミングが、ＵＥ１００の１回目のＰＤＣＣＨ監視タイミングであるため、ＵＥ１００は、ＰＤＣＣＨの監視を行う。ｅＮＢ２００Ａは、ＰＤＣＣＨを送信するが、ｅＮＢ２００Ｂは、ＰＤＣＣＨを送信しないため、ＵＥ１００は、ＰＤＣＣＨの監視機会を逃している。ＵＥ１００の次のＰＤＣＣＨ監視タイミングは、ｅＮＢ２００ＢのＳＦＮが４３３１５００に相当するタイミングである。従って、ＵＥ１００は、次のＰＤＣＣＨ監視タイミングまで監視しないため、ページングメッセージの取得機会が拡張ＤＲＸサイクルの時間だけ遅くなる虞がある。また、各ｅＮＢ２００が、一度しかページングメッセージを送信しない場合、ＵＥ１００は、ページングメッセージを取得できない虞もある。
【００７８】
そこで、以下の方法により、上記問題を解消する。
【００７９】
図７に示すように、ステップＳ１０において、ＭＭＥ３００は、絶対時間情報（Ａｂｓｏｌｕｔｅ  ｔｉｍｅ  Ｉｎｆｏｒｍａｔｉｏｎ）を同一のトラッキングエリアに属する各セルを管理する各ｅＮＢ２００（ｅＮＢ２００Ａ及びｅＮＢ２００Ｂ）に通知する。
【００８０】
絶対時間情報は、同一のトラッキングエリアに属する各セル（当該各セルを管理する各ｅＮＢ２００）がＰＤＣＣＨを同時に送信する時間（絶対時間）を示す情報である。ＭＭＥ３００は、例えば、現在のサブフレーム番号又はシステムフレーム番号を絶対時間として各ｅＮＢ２００に通知してもよい。また、ＭＭＥ３００は、絶対時間の開始点を示す情報を各ｅＮＢ２００に通知してもよい。例えば、ＭＭＥ３００は、絶対時間情報を送信したサブフレームを絶対サブフレームの「０」番目としてもよい。各ｅＮＢ２００は、絶対時間情報が送信されたサブフレームを絶対サブフレームの「０」番目と解釈する。各ｅＮＢ２００は、絶対時間によって決定される共通タイミング（ＳＦＮ）でＰＤＣＣＨを同時に送信する。なお、共通タイミングは、無線フレーム（ＰＦ）単位であってもよいし、サブフレーム（ＰＯ）単位であってもよい。
【００８１】
絶対時間情報を受信した各ｅＮＢ２００は、絶対時間が自ｅＮＢ２００における何番目のＳＦＮに対応するかを算出する。以下において、絶対時間が、ｅＮＢ２００ＡにおけるＳＦＮが１００００に相当し、ｅＮＢ２００ＢにおけるＳＦＮが１１５００に対応すると仮定して説明を進める。
【００８２】
ステップＳ２０において、ｅＮＢ２００Ａ（ＣｅｌｌＡ）は、共通タイミング情報をＵＥ１００に送信する。ＵＥ１００は、ｅＮＢ２００Ａ（ＣｅｌｌＡ）から共通タイミング情報を受信する。共通タイミング情報は、ブロードキャストで共通信号（例えば、ＳＩＢ、ＰＤＣＣＨ）によって送信されてもよいし、ユニキャストで個別信号（例えば、ＰＤＳＣＨ）によって送信されてもよい。
【００８３】
共通タイミング情報は、共通タイミング（絶対時間）に対応するＳＦＮに関する情報である。例えば、共通タイミング情報は、絶対時間に対応するＳＦＮ（又は当該ＳＦＮ内のサブフレーム）を算出するためのパラメータである。本実施形態において、共通タイミング情報は、ステップＳ１０において算出された絶対時間に対応するＳＦＮを示す情報である。従って、ＵＥ１００は、共通タイミング情報に基づいて、ｅＮＢ２００ＡにおけるＳＦＮが１００００のタイミングが共通タイミング（絶対時間）であると判断する。その後、ＵＥ１００は、ＣｅｌｌＢへ向かって移動する。
【００８４】
ステップＳ３０において、ＵＥ１００は、セル再選択手順を実行する。ＵＥ１００は、ＣｅｌｌＢを選択し、ＣｅｌｌＢに在圏する。
【００８５】
ステップＳ４０において、ｅＮＢ２００Ａ及びｅＮＢ２００Ｂは、共通タイミング（絶対時間）でＰＤＣＣＨを同時に送信する。一方、ＵＥ１００は、共通タイミング情報に基づいて、共通タイミングでＰＤＣＣＨを監視する。従って、ＵＥ１００は、共通タイミングが拡張ＤＲＸの設定に基づくＰＤＣＣＨ監視タイミングでない場合であっても、ＰＤＣＣＨを監視する。これにより、ＵＥ１００は、次のＰＤＣＣＨ監視タイミングまで待たなくても、ＰＤＣＣＨを監視できるため、ＵＥ１００宛てのページングメッセージを取得可能である。
【００８６】
なお、ＵＥ１００は、拡張ＤＲＸ動作を実行している場合に、共通タイミングでＰＤＣＣＨを監視してもよい。すなわち、アイドルモードにおいて通常のＤＲＸ動作を実行しているＵＥ１００は、共通タイミングでＰＤＣＣＨを監視してもよいし、監視しなくてもよい。
【００８７】
［第２実施形態］
次に、第２実施形態について説明する。第２実施形態では、ＵＥ１００は、所定条件下において、ページングメッセージが示す情報を取得するための手順を開始する。
【００８８】
以下に、第２実施形態に係る動作例１〜３について説明する。
【００８９】
（１）動作例１
まず、動作例１について説明する。
【００９０】
ＵＥ１００は、拡張ＤＲＸを設定するための設定情報をｅＮＢ２００又はＭＭＥ３００から取得する。ＵＥ１００は、設定情報に基づいて、拡張ＤＲＸサイクルが閾値を超えるか否かを判定する。閾値は、例えば、少なくとも拡張ＤＲＸサイクルの２周期の長さの間、ページングメッセージの取得機会がなくても問題が発生する可能性が低い値である。閾値は、例えば、既存のＤＲＸサイクルの最大２周期の長さである。或いは、閾値は、ＵＥ１００が拡張ＤＲＸ動作を実行した場合の節電効果が、ＵＥ１００が起動するために必要な機能以外への電源供給を停止した場合の節電効果よりも高くなる値である。
【００９１】
ＵＥ１００は、拡張ＤＲＸサイクルが閾値を超えない場合、設定情報に基づいて、拡張ＤＲＸの設定を行う。その後、アイドルモードであるＵＥ１００は、拡張ＤＲＸ動作を実行する。拡張ＤＲＸサイクルが閾値を越えていないため、ＵＥ１００が、問題が発生するほどの長期間、ページングメッセージを取得できない可能性を低下できる。
【００９２】
一方、ＵＥ１００は、拡張ＤＲＸサイクル（例えば、４３２００００［ＳＦＮ］）が閾値を越えた場合、ＵＥ１００が起動するために必要な機能以外への電源供給を停止する。例えば、ＵＥ１００は、無線送受信機１１０、ユーザインターフェイス１２０、ＧＮＳＳ受信機１３０の少なくともいずれかへの電源供給を停止する。ＵＥ１００は、プロセッサ１６０の機能の一部を無効（ディアクティブ）にする処理を行ってもよい。ＵＥ１００は、後述する起動タイマが満了した場合に起動するために必要な機能以外の電源をオフにしてもよい。
【００９３】
ＵＥ１００は、上述の処理を行った後、拡張ＤＲＸサイクルよりも短い起動タイマを起動する。その後、ＵＥ１００は、起動タイマが満了した場合に、電源供給を再開し、ページングメッセージを取得するための動作を開始する。具体的には、ＵＥ１００は、ランダムアクセス手順を実行した後、ネットワークへの登録（アタッチメント）を行う。これにより、ネットワークは、ＵＥ１００の位置（トラッキングエリア）を把握する。ネットワークは、ＵＥ１００宛てのページングメッセージが存在する場合、ＵＥ１００へページングメッセージを通知する（ページングする）。これにより、ＵＥ１００は、セル再選択処理に起因してページングメッセージを取得できない場合であっても、ページングメッセージを取得できる。従って、セル再選択処理に起因して、ページングメッセージを長期間取得できないことを低減できる。
【００９４】
なお、起動タイマの満了が、「所定条件を満たした場合」に該当する。
【００９５】
（２）動作例２
次に、動作例２について説明する。動作例２は、動作例１と比べて、電源供給を再開した後のＵＥ１００の動作が異なる。
【００９６】
ＵＥ１００は、起動タイマが満了し、電源供給を再開する。その後、ＵＥ１００は、電源供給を停止する前に在圏するセルと、電源供給を再開した後に在圏するセルとが異なる場合に、ページングメッセージを取得するための動作を開始する。
【００９７】
ＵＥ１００は、例えば、セル探索を行い、電源供給を停止する前に在圏したセル（ＣｅｌｌＡ）と異なるセル（ＣｅｌｌＢ）を選択した場合、ページングメッセージを取得するための動作を開始する。一方、ＵＥ１００は、電源供給を停止する前に在圏したセル（ＣｅｌｌＡ）と同じセル（ＣｅｌｌＡ）を選択した場合には、ページングメッセージを取得するための動作を行わずに、拡張ＤＲＸ動作を実行する。或いは、ＵＥ１００は、起動タイマが満了しても、ＰＤＣＣＨ監視タイミングまで時間がある場合には、再び電源供給を停止し、起動タイマを新たに起動してもよい。
【００９８】
これにより、ＵＥ１００は、ページングメッセージを取得する機会を失った可能性がある場合に、ページングメッセージを取得するための動作を開始する。従って、セル再選択処理に起因して、ページングメッセージを長期間取得できないことを低減できる。
【００９９】
（３）動作例３
次に、動作例３について説明する。動作例３では、ＵＥ１００は、電源供給を停止しない。
【０１００】
ＵＥ１００は、拡張ＤＲＸサイクルが閾値を越えた場合であっても、電源供給を停止せずに、拡張ＤＲＸ動作を実行してもよい。この場合、ＵＥ１００は、起動タイマを起動する。ＵＥ１００は、起動タイマが満了した場合に、ページングメッセージを取得するための動作を開始する。これにより、ＵＥ１００は、セル再選択処理に起因してページングメッセージを取得できない場合であっても、主体的にページングメッセージを取得できる。
【０１０１】
或いは、ＵＥ１００は、起動タイマを起動せずに、セル再選択処理を実行した場合に、ページングメッセージを取得するための動作を開始してもよい。これにより、ＵＥ１００は、セル再選択処理に起因してページングメッセージを取得できない場合であっても、主体的にページングメッセージを取得できる。
【０１０２】
［第３実施形態］
次に、第３実施形態について説明する。第３実施形態では、拡張ＤＲＸの設定がされたＵＥ１００宛てのページングメッセージが再送される。
【０１０３】
ｅＮＢ２００は、上位ノードであるＭＭＥ３００からのページングメッセージを受信した場合、ページングメッセージの宛先のＵＥ１００に拡張ＤＲＸが設定されているかを判断する。例えば、ｅＮＢ２００は、個別シグナリング（例えば、ＲＲＣメッセージ）により、拡張ＤＲＸサイクルを設定するための設定情報をＵＥ１００に送信していた場合に、当該ＵＥ１００に拡張ＤＲＸサイクルが設定されていると判断する。
【０１０４】
或いは、ｅＮＢ２００は、当該ＵＥ１００に拡張ＤＲＸサイクルが設定されているか否かの問い合わせをＭＭＥ３００に行ってもよい。ＭＭＥ３００は、ＮＡＳシグナリング（ＮＡＳメッセージ）により、拡張ＤＲＸサイクルを設定するための設定情報をＵＥ１００に送信していた場合に、その旨をｅＮＢ２００に応答する。或いは、ＵＥ１００からＮＡＳシグナリングにより、拡張ＤＲＸを設定した旨を通知されていた場合に、その旨をｅＮＢ２００に応答する。
【０１０５】
或いは、ＭＭＥ３００は、上位ノードからページングメッセージを受信した場合に、ページングメッセージの宛先のＵＥ１００に拡張ＤＲＸサイクルが設定されているかを判断してもよい。ＭＭＥ３００は、ページングメッセージを各ｅＮＢ２００に通知する場合に、ＵＥ１００に拡張ＤＲＸサイクルが設定されているか否かを示す情報をページングメッセージと共に通知してもよい。なお、ＭＭＥ３００は、上述のように、ＵＥ１００に拡張ＤＲＸサイクルが設定されているか否かを判断できる。ｅＮＢ２００は、当該情報に基づいて、当該ＵＥ１００に拡張ＤＲＸサイクルが設定されているか否かを判断する。
【０１０６】
ページングメッセージを受信したｅＮＢ２００は、拡張ＤＲＸが設定されていない（通常のＤＲＸが設定されている）ＵＥ１００宛てのページングメッセージを再送せずに、ページングメッセージを送信するための通常の動作を実行する。一方、ｅＮＢ２００は、拡張ＤＲＸが設定されているＵＥ１００宛てのページングメッセージを再送する。例えば、ｅＮＢ２００は、ページングメッセージを送信した後、次のページングメッセージを送信するタイミングにおいてページングメッセージを再送する。
【０１０７】
或いは、ｅＮＢ２００は、ページングメッセージを再送し続け、ＵＥ１００がページングメッセージを取得したことを検知した場合に、ページングメッセージの再送を終了してもよい。ｅＮＢ２００は、例えば、ＵＥ１００からシグナリングを受信した場合に、ＵＥ１００がページングメッセージを取得したことを検知してもよい。或いは、ｅＮＢ２００は、ＭＭＥ３００又は他のｅＮＢ２００から、ＵＥ１００がページングメッセージを取得した旨の通知を受信した場合に、ＵＥ１００がページングメッセージを取得したことを検知してもよい。
【０１０８】
これにより、ＵＥ１００は、ページングメッセージの取得機会が増えるため、ＵＥ１００宛てのページングメッセージを長期間取得できないことを低減できる。
【０１０９】
なお、ｅＮＢ２００は、拡張ＤＲＸの設定に加えて、ページングメッセージの宛先のＵＥ１００がＭＴＣである場合に、当該ページングメッセージを再送してもよい。当該ＵＥ１００がＭＴＣであるか否かを上位ノード（例えば、ＭＭＥ３００）から通知されてもよい。
【０１１０】
［第４実施形態］
次に、第４実施形態について説明する。第４実施形態では、ＵＥ１００は、セル再選択手順により新たなセルを選択した場合に、拡張ＤＲＸの再設定を行う。
【０１１１】
まず、所定セルに在圏するアイドルモードであるＵＥ１００は、セル再選択手順を実行し、新たなセルを選択した場合、新たなセル（新たなセルを管理するｅＮＢ２００）とＲＲＣ接続を確立する。これにより、ＵＥ１００は、アイドルモードからコネクティッドモードへ遷移する。ＵＥ１００は、新たなセル（ｅＮＢ２００）から拡張ＤＲＸを設定するための設定情報（以下、設定情報と称する）を取得する（受信する）。ＵＥ１００は、新たなセルから取得した設定情報に基づいて拡張ＤＲＸの設定を行う。
【０１１２】
なお、ＵＥ１００は、セル再選択手順を開始した後、所定セル（新たなセルを選択する前のセル）から取得していた設定情報を破棄してもよい。具体的には、ＵＥ１００は、（ａ）新たなセルを選択した場合、（ｂ）新たなセル（ｅＮＢ２００）から設定情報を取得した場合、（ｃ）新たなセルから取得した設定情報に基づいて拡張ＤＲＸの設定を行った場合、のすくなくともいずれかの場合に、所定セルから取得していた設定情報を破棄することができる。
【０１１３】
その後、ＵＥ１００は、アイドルモードへと遷移し、拡張ＤＲＸ動作を実行する。ＵＥ１００は、新たなセルの設定に従って拡張ＤＲＸ動作を実行するため、ページングメッセージを長期間取得できないことを低減できる。
【０１１４】
［その他の実施形態］
上述した第１実施形態では、共通タイミング情報は、ｅＮＢ２００が算出した絶対時間に対応するＳＦＮを示す情報であったがこれに限られない。ｅＮＢ２００は、絶対時間に対応するＳＦＮを算出するための算出パラメータをＵＥ１００に送信してもよい。例えば、ＵＥ１００は、絶対時間情報をＭＭＥ３００からＮＡＳメッセージにより受信する。また、ＵＥ１００は、在圏するセルを管理しているｅＮＢ２００から、共通タイミング情報として算出パラメータを受信する。ＵＥ１００は、絶対時間と算出パラメータに基づいて、絶対時間に対応するＳＦＮを算出してもよい。
【０１１５】
上述した第１実施形態において、ＭＭＥ３００以外のネットワーク装置（ネットワークノード）がＭＭＥ３００と同様の動作を実行してもよい。例えば、ＭＢＭＳ  ＧＷ又はＭＣＥ（Ｍｕｌｔｉ−Ｃｅｌｌ  Ｍｕｌｔｉｃａｓｔ  Ｃｏｏｒｄｉｎａｔｉｏｎ  Ｅｎｔｉｔｙ）が、第１実施形態に係るＭＭＥ３００の動作を実行してもよい。なお、ＭＢＭＳ  ＧＷは、ｅＮＢ２００の上位ノードであり、ＭＣＥは、ｅＮＢ２００の上位ノードであり、ＭＭＥ３００の下位ノードである。
【０１１６】
なお、ＭＭＥ３００は、ネットワークインターフェイス、メモリ、及びプロセッサを備える。なお、メモリをプロセッサと一体化し、このセット（すなわち、チップセット）をプロセッサとしてもよい。ネットワークインターフェイスは、Ｓ１インターフェイスを介してｅＮＢ２００と接続される。ネットワークインターフェイスは、Ｓ１インターフェイス上で行う通信に用いられる。メモリは、プロセッサにより実行されるプログラム、及びプロセッサによる処理に使用される情報を記憶する。プロセッサは、ベースバンド信号の変調・復調及び符号化・復号などを行うベースバンドプロセッサと、メモリに記憶されるプログラムを実行して各種の処理を行うＣＰＵと、を含む。プロセッサ３４０は、上述の各種の処理及び各種の通信プロトコルを実行する。なお、ＭＢＭＳ  ＧＷ及びＭＣＥも、ＭＭＥ３００と同様の構成を有することができる。
【０１１７】
上述した各実施形態において、ＵＥ１００は、セル再選択手順を実行するか否かを判断するために無線状況の測定を周期的に実行する。セル再選択手順を適切なタイミングで実行するために、（アイドルモードにおける）無線状況の測定周期は、拡張ＤＲＸサイクル（及びＤＲＸサイクル）に応じて決定されてもよい。例えば、ネットワーク装置（ｅＮＢ２００、ＭＭＥ３００など）が、拡張ＤＲＸサイクル（及びＤＲＸサイクル）に応じて算出した値を無線状況の測定周期としてＵＥ１００に通知してもよい。或いは、ＵＥ１００が、拡張ＤＲＸサイクル（及びＤＲＸサイクル）に応じて測定周期を算出してもよい。ＵＥ１００は、ネットワーク装置から通知された測定周期又はＵＥ１００が算出した測定周期に従って無線状況の測定を実行できる。
【０１１８】
上述した各実施形態におけるノード（ＵＥ１００、ｅＮＢ２００、ＭＭＥ３００）の動作は、適宜組み合わされて実行されてもよい。
【０１１９】
上述した実施形態では、セルラ通信システムの一例としてＬＴＥシステムを説明したが、ＬＴＥシステムに限定されるものではなく、ＬＴＥシステム以外のシステムに本発明を適用してもよい。
【０１２０】
［相互参照］
日本国特許出願第２０１５−０４１８６６号（２０１５年３月３日）の全内容が参照により本願明細書に組み込まれている。
【産業上の利用可能性】
【０１２１】
本発明は、通信分野において有用である。
【図１】
2016140272.tif 000005
【図２】
2016140272.tif 000006
【図３】
2016140272.tif 000007
【図４】
2016140272.tif 000008
【図５】
2016140272.tif 000009
【図６】
2016140272.tif 000010
【図７】
2016140272.tif 000011
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
基地局であって、
無線端末がアイドルモードにおいてページングメッセージを受信するための下りリンク制御チャネルを送信する送信部と、
前記無線端末に第１のＤＲＸサイクルよりも長い第２のＤＲＸサイクルを使用する拡張ＤＲＸが設定されている場合、前記無線端末宛てのページングメッセージを再送する制御部とを備える基地局。
【請求項２】
前記制御部は、上位ノードから前記ページングメッセージを受信した場合に、当該ページングメッセージの宛先の無線端末に前記拡張ＤＲＸが設定されているか否かを判断する請求項１に記載の基地局。
【請求項３】
前記ページングメッセージの宛先の無線端末に前記拡張ＤＲＸが設定されているか否かを示す情報を前記ページングメッセージと共に上位ノードから受信する受信部をさらに備える請求項１に記載の基地局。
【請求項４】
基地局を制御するためのプロセッサであって、
無線端末がアイドルモードにおいてページングメッセージを受信するための下りリンク制御チャネルを送信する処理と、
前記無線端末に第１のＤＲＸサイクルよりも長い第２のＤＲＸサイクルを使用する拡張ＤＲＸが設定されている場合、前記無線端末宛てのページングメッセージを再送する処理と、を実行するプロセッサ。
【請求項５】
通信方法であって、
基地局が、無線端末がアイドルモードにおいてページングメッセージを受信するための下りリンク制御チャネルを送信するステップと、
基地局が、前記無線端末に第１のＤＲＸサイクルよりも長い第２のＤＲＸサイクルを使用する拡張ＤＲＸが設定されている場合、前記無線端末宛てのページングメッセージを再送するステップと、を備える通信方法。
【国際調査報告】
2016140272.tif 000012
2016140272.tif 000013
2016140272.tif 000014
2016140272.tif 000015
2016140272.tif 000016
2016140272.tif 000017
2016140272.tif 000018
2016140272.tif 000019
2016140272.tif 000020
2016140272.tif 000021